(57)【要約】【課題】吸引力が急激に低下するのを防止することで集塵性能を向上させ、かつ小型化を実現した電気掃除機を提供することを目的とする。【解決手段】吸引した塵埃を流入する流入口９を有し吸引風から分離し捕集する第１塵埃分離部６と、前記第１塵埃分離部６内に配設され、前記第１塵埃分離部６を通過した後の塵埃を流入する流入口１０を有し、前記第１塵埃分離部６を通過した後の塵埃を吸引風から分離する第２塵埃分離部とを備え、前記第１塵埃分離部６は、前記第１塵埃分離部６で分離した塵埃を蓄積する蓄積部（１３、２４）を複数有するもので、吸引した塵埃を２段で分離でき、目詰まりしにくく吸引力が急激に低下しにくい集塵性能をえることができる。【選択図】  図２
2004229712.tif 000002
【特許請求の範囲】
【請求項１】
吸引した塵埃を流入する流入口を有し吸引風から分離し捕集する第１塵埃分離部と、前記第１塵埃分離部内に配設され、前記第１塵埃分離部を通過した後の塵埃を流入する流入口を有し、前記第１塵埃分離部を通過した後の塵埃を吸引風から分離する第２塵埃分離部とを備え、前記第１塵埃分離部は、前記第１塵埃分離部で分離した塵埃を蓄積する蓄積部を複数有する電気掃除機。
【請求項２】
第１塵埃分離部は、遠心分離作用にて吸引風から塵埃を分離する請求項１記載の電気掃除機。
【請求項３】
第１塵埃分離部にて吸引風から分離された塵埃は、前記塵埃の密度に応じて、それぞれ複数の蓄積部に蓄積される請求項２記載の電気掃除機。
【請求項４】
第１塵埃分離部は、第１塵埃分離部にて吸引風から分離された高密度の塵埃を蓄積する高密度塵埃蓄積部と第１塵埃分離部にて吸引風から分離された低密度の塵埃を蓄積する低密度塵埃蓄積部とを有し、前記高密度塵埃蓄積部は前記低密度塵埃蓄積部より、前記第１塵埃分離部が有する流入口に対して遠方に配設された請求項３記載の電気掃除機。
【請求項５】
吸引風を発する電動送風機を備え、前記電動送風機と低密度塵埃蓄積部とを連通させた請求項４記載の電気掃除機。
【請求項６】
高密度塵埃蓄積部と低密度塵埃蓄積部とは連通して形成されているとともに、掃除機本体の後面を、被掃除面に向け立てた状態のとき、前記高密度塵埃蓄積部と前記低密度塵埃蓄積部は、重合して配設されてなる請求項４または５記載の電気掃除機。
【請求項７】
高密度塵埃蓄積部と低密度塵埃蓄積部とは、区画壁を介して区画形成された請求項４〜６のいずれか１項に記載の電気掃除機。
【請求項８】
第２塵埃分離部は略円形空間を有するとともに、前記略円形空間を形成する壁の内壁に沿って、塵埃を含む吸引風を旋回させるための旋回部を配設した請求項１〜７のいずれか１項に記載の電気掃除機。
【請求項９】
第２塵埃分離部にて分離した塵埃を蓄積する細塵蓄積部を有し、旋回部の外方かつ第２塵埃分離部の底面に、前記細塵蓄積部と連通する開口部を設けた請求項８記載の電気掃除機。
【請求項１０】
旋回部を略円弧状に形成してなる請求項８または９記載の電気掃除機。
【請求項１１】
第２塵埃分離部が有する略円形空間を形成する壁の内壁と旋回部とが形成する旋回通路の断面積が、吸気下流側に向かうに従い徐々に小さくしてなる請求項１０項記載の電気掃除機。
【請求項１２】
電動送風機と低密度塵埃蓄積部とを連通させた連通部にフィルターを配置してなる請求項５記載の電気掃除機。
【請求項１３】
電動送風機と低密度塵埃蓄積部とを連通させた連通部に配置したフィルターを着脱自在とした請求項１２記載の電気掃除機。
【請求項１４】
第２塵埃分離部にて分離した塵埃を蓄積する細塵蓄積部を有し、高密度塵埃蓄積部と低密度塵埃蓄積部と前記細塵蓄積部とを、同一の開閉自在な開閉蓋にて覆うとともに、前記開閉蓋を開くことで、前記高密度塵埃蓄積部と低密度塵埃蓄積部と細塵蓄積部にそれぞれ蓄積されている塵埃を同時に廃棄できる請求項４〜７のいずれか１項に記載の電気掃除機。
【請求項１５】
第２塵埃分離部が有する流入口には略円弧形状のフィルタ−を設けるととともに、前記第１塵埃分離部が有する流入口から流入した気流は、前記略円弧形状のフィルタ−の外周に沿って流れる請求項１〜１４のいずれか１項に記載の電気掃除機。
【請求項１６】
電動送風機と低密度塵埃蓄積部とを連通させた連通部に設けたフィルタ−は、前記低密度塵埃蓄積部の下端より一定高さ上方に設けてなる請求項１２または１３記載の電気掃除機。
【発明の詳細な説明】
【０００１】
【発明の属する技術分野】
本発明は、電気掃除機の集塵構造に関するものである。
【０００２】
【従来の技術】
従来の電気掃除機の構成を図８を用いて説明する。有底の集塵室３１を設け、内部に吸気する吸気口３２を集塵室３１の側壁に接線方向に向け設けている。集塵室３１の上端開口部３３を覆うように蓋体３４を設け、この蓋体３４に排気口３５を設ける。また集塵室３１の上端開口部３３を覆うようにフィルター３６を取り付けている。電動送風機３７が運転すると、塵埃は吸込部３８より吸引され、吸気口３２より集塵室３１内に吸気され、集塵室３１内で遠心分離され、排気はフィルター３６を通して排気口３５より排出される（特許文献１参照）。
【０００３】
【特許文献１】
特開２００１−１０４２２３号公報
【０００４】
【発明が解決しようとする課題】
しかしながら上記従来の構成では、吸気口３２より吸引した塵埃がフィルター３６に付着、目詰まりを起こし、集塵室３１に塵埃が十分吸引されないまま吸引力が低下するということがあった。またこの目詰まり対策の為、フィルター３６の面積を大きくすることもあったが、集塵室３１そのものが大きくなり電気掃除機そのものが大型化してしまうという課題があった。
【０００５】
本発明は上記課題を解決するもので、吸引力が急激に低下するのを防止することで集塵性能を向上させ、かつ小型化を実現した電気掃除機を提供することを目的とする。
【０００６】
【課題を解決するための手段】
上記目的を達成するための本発明は、吸引した塵埃を流入する流入口を有し吸引風から分離し捕集する第１塵埃分離部と、前記第１塵埃分離部内に配設され、前記第１塵埃分離部を通過した後の塵埃を流入する流入口を有し、前記第１塵埃分離部を通過した後の塵埃を吸引風から分離する第２塵埃分離部とを備え、前記第１塵埃分離部は、前記第１塵埃分離部で分離した塵埃を蓄積する蓄積部を複数有するもので、吸引した塵埃を２段で分離でき、目詰まりしにくく吸引力が急激に低下しにくい集塵性能をえることができるとともに、前記第１塵埃分離部で分離した塵埃を、前記塵埃の種類等に応じてそれぞれの蓄積部に蓄積できることで、第１塵埃分離部内では前記第１塵埃分離部で分離した後の塵埃が舞い上がり、再度第２塵埃分離部が有する流入口に付着したりするが、塵埃が舞い上がりやすい塵埃が蓄積されて蓄積部を、前記第２塵埃分離部が有する流入口より遠ざけることで、第２塵埃分離部が有する流入口への塵埃の付着を防止でき、目詰まりしにくく吸引力が急激に低下しにくい集塵性能をえることができる。
【０００７】
【発明の実施の形態】
本発明の請求項１記載の発明は、吸引した塵埃を流入する流入口を有し吸引風から分離し捕集する第１塵埃分離部と、前記第１塵埃分離部内に配設され、前記第１塵埃分離部を通過した後の塵埃を流入する流入口を有し、前記第１塵埃分離部を通過した後の塵埃を吸引風から分離する第２塵埃分離部とを備え、前記第１塵埃分離部は、前記第１塵埃分離部で分離した塵埃を蓄積する蓄積部を複数有するもので、吸引した塵埃を２段で分離でき、目詰まりしにくく吸引力が急激に低下しにくい集塵性能をえることができるとともに、前記第１塵埃分離部で分離した塵埃を、前記塵埃の種類等に応じてそれぞれの蓄積部に蓄積できることで、第１塵埃分離部内では前記第１塵埃分離部で分離した後の塵埃が舞い上がり、再度第２塵埃分離部が有する流入口に付着したりするが、塵埃が舞い上がりやすい塵埃が蓄積されて蓄積部を、前記第２塵埃分離部が有する流入口より遠ざけたりすることで、第２塵埃分離部が有する流入口への塵埃の付着を防止でき、目詰まりしにくく吸引力が急激に低下しにくい集塵性能をえることができる。
【０００８】
本発明の請求項２記載の発明は、第１塵埃分離部は、遠心分離作用にて吸引風から塵埃を分離するもので、容易かつ低コストの構成で、吸引風から塵埃を分離できる。
【０００９】
本発明の請求項３記載の発明は、第１塵埃分離部にて吸引風から分離された塵埃は、前記塵埃の密度に応じて、それぞれ複数の蓄積部に蓄積されるもので、第１塵埃分離部において、塵埃の密度に応じて遠心力が異なるため、塵埃の密度に応じてそれぞれ複数の蓄積部に蓄積されることが実現できる。
【００１０】
本発明の請求項４記載の発明は、第１塵埃分離部は、第１塵埃分離部にて吸引風から分離された高密度の塵埃を蓄積する高密度塵埃蓄積部と第１塵埃分離部にて吸引風から分離された低密度の塵埃を蓄積する低密度塵埃蓄積部とを有し、前記高密度塵埃蓄積部は前記低密度塵埃蓄積部より、前記第１塵埃分離部が有する流入口より遠方に配設されたもので、第１塵埃分離部が有する流入口より流入し、第１塵埃分離部にて吸引風から分離された塵埃は、第１塵埃分離部において、塵埃の密度に応じて遠心力が異なり、低密度の塵埃は遠心力が小さく、高密度の塵埃は遠心力が大きいため、前記高密度塵埃蓄積部を前記低密度塵埃蓄積部より前記第１塵埃分離部が有する流入口に対して遠方に配設することで、塵埃の密度に応じてそれぞれ複数の蓄積部に蓄積されることが実現できる。
【００１１】
本発明の請求項５記載の発明は、吸引風を発する電動送風機を備え、前記電動送風機と低密度塵埃蓄積部とを連通させたもので、低密度塵埃蓄積部内に蓄積された塵埃を電動送風機が吸引することで、第１塵埃分離部内で低密度塵埃蓄積部内に蓄積された塵埃が舞い上がり、第１塵埃分離部が有する流入口に前記塵埃が付着するのを防止できる。また、電動送風機と低密度塵埃蓄積部のみを連通させており、低密度塵埃蓄積部に蓄積している塵埃は低密度のため空気抵抗が小さく、前記電動送風機と低密度塵埃蓄積部とを連通部の目詰まりがし難い。また、第１塵埃分離部内に吸引風が流れているため、低密度の塵埃は体積が大きいことより吸引風の力を受けやすく、低密度塵埃蓄積部へと導きかれやすい。
【００１２】
本発明の請求項６記載の発明は、高密度塵埃蓄積部と低密度塵埃蓄積部とは連通して形成されているとともに、掃除機本体の後面を、被掃除面に向け立てた状態のとき、前記高密度塵埃蓄積部と前記低密度塵埃蓄積部は、重合して配設されてなるもので、本体を立てて収納しても、前記高密度塵埃蓄積部と前記低密度塵埃蓄積部は、重合して配設されているため、高密度塵埃蓄積部に溜まっている高密度塵埃が、また、低密度塵埃蓄積部に溜まっている低密度塵埃がそれぞれの蓄積部から出ることがなく、高密度塵埃が低密度塵埃蓄積部に移動することによる前記電動送風機と低密度塵埃蓄積部とを連通部の目詰まりを防止することができる。
【００１３】
本発明の請求項７記載の発明は、高密度塵埃蓄積部と低密度塵埃蓄積部とは、区画壁を介して区画形成されたもので、容易かつ低コストで、第１塵埃分離部で分離した塵埃を蓄積する蓄積部を複数構成できる。
【００１４】
本発明の請求項８記載の発明は、第２塵埃分離部は略円形空間を有するとともに、前記略円形空間を形成する壁の内壁に沿って、塵埃を含む吸引風を旋回させるための旋回部を配設したもので、略円形空間を有する遠心分離部の内壁と旋回部との間で吸引風の旋回通路を形成することで、確実かつ高速旋回を生み出すことができ、その結果、塵埃と吸引風との分離性能が向上することで、集塵性能を向上することができる。
【００１５】
本発明の請求項９記載の発明は、第２塵埃分離部にて分離した塵埃を蓄積する細塵蓄積部を有し、旋回部の外方かつ第２塵埃分離部の底面に、前記細塵蓄積部と連通する開口部を設けたもので、前記遠心分離部にて分離した塵埃を前記細塵蓄積部へ自重落下させることができ、簡易かつ低コストで塵埃の蓄積構成を実現できる。
【００１６】
本発明の請求項１０記載の発明は、旋回部を略円弧状に形成してなるもので、吸引風が抵抗なく、スムースに旋回流を形成できる。
【００１７】
本発明の請求項１１記載の発明は、第２塵埃分離部が有する略円形空間を形成する壁の内壁と旋回部とが形成する旋回通路の断面積が、吸気下流側に向かうに従い徐々に小さくしてなるもので、吸気下流側に向かうにしたがって、風速が上がり、塵埃と吸引風との分離性能が向上することで、集塵性能を向上することができる。
【００１８】
本発明の請求項１２記載の発明は、電動送風機と低密度塵埃蓄積部とを連通させた連通部にフィルターを配置してなるもので、電動送風機への塵埃の侵入を防止でき、電動送風機の品質を維持できる。
【００１９】
本発明の請求項１３記載の発明は、電動送風機と低密度塵埃蓄積部とを連通させた連通部に配置したフィルターを着脱自在としたもので、フィルターを掃除することができる。
【００２０】
本発明の請求項１４記載の発明は、第２塵埃分離部にて分離した塵埃を蓄積する細塵蓄積部を有し、高密度塵埃蓄積部と低密度塵埃蓄積部と前記細塵蓄積部とを、同一の開閉自在な開閉蓋にて覆うとともに、前記開閉蓋を開くことで、前記高密度塵埃蓄積部と低密度塵埃蓄積部と細塵蓄積部にそれぞれ蓄積されている塵埃を同時に廃棄できるもので、開閉蓋を開くだけで、一度にすべての種類の塵埃を廃棄できる。
【００２１】
本発明の請求項１５記載の発明は、第２塵埃分離部が有する流入口には略円弧形状のフィルタ−を設けるととともに、前記第１塵埃分離部が有する流入口から流入した気流は、前記略円弧形状のフィルタ−の外周に沿って流れるもので、塵埃を含む吸引風が流入しても、塵埃がフィルタ−に付着しにくく、また、付着しても掃き飛ばされることで、フィルタ−の目詰まりを防止できる。
【００２２】
本発明の請求項１６記載の発明は、電動送風機と低密度塵埃蓄積部とを連通させた連通部に設けたフィルタ−は、前記低密度塵埃蓄積部の下端より一定高さ上方に設けてなるもので、フィルタ−の目詰まりを防止できる。
【００２３】
【実施例】
以下、本発明の一実施例について、図１〜図７を参照しながら説明する。
【００２４】
図１は電気掃除機の正面図である。本掃除機は、下部に床面の塵埃を吸引する吸込具１、吸引風を発する電動送風機３を内蔵した掃除機本体１８、一端を前記吸込具１に接続した延長管２、前記掃除機本体１８より着脱でき塵埃を捕集する集塵部４、この集塵部４と前記吸込具１を連通する吸引通路を前記延長管２を介して形成し、前記延長管２と前記集塵部４とを接続するホース５から構成されている。また、前記掃除機本体１８には、前記電動送風機３が発する排気を排出する排出穴（図示せず）が設けられている。
【００２５】
図２〜図４は、電気掃除機の集塵部４を構成する、第１塵埃分離部６、第１塵埃分離部である遠心分離部７及び集塵蓋８の構成図である。第１塵埃分離部６は、下方開口で、開閉自在の開閉蓋１７にて覆われている。また、第１塵埃分離部６には、吸込具１よりホース５を介して塵埃を含んだ気流が流入する第１流入口９が設けられている。遠心分離部７は、前記第１塵埃分離部６より小径に形成されており、内部に略円形空間を有していて、前記第１塵埃分離部６内に配設されている。集塵蓋８は、エラストマーのような軟質材を外周に有し略円筒形状で、前記遠心分離部７の吸気下流側に配設されている。１２は前記電動送風機室３の吸引口（図示せず）と前記遠心分離部７の内部を連通する第１連通口でフィルターにて覆われている。１０は遠心分離部７内方へ塵埃を含んだ気流を流入する略円弧状の第２流入口で、フィルターにて覆われており、前記第１流入口９と対向しない位置に設けられている。なお、前記略円弧状の第２流入口は着脱自在で、前記フィルターの掃除もできる。
【００２６】
１４は遠心分離部７に設けた略円筒形状の壁面部、１１は遠心分離部に設けた略円筒形状の壁面部１４の内方に設けられ、前記第２流入口１０より流入した塵埃を含む気流を、前記遠心分離部７の壁面部１４の内壁に沿って、旋回させるための旋回通路１１ａを形成するために配設した略円弧状の旋回部１１である。前記略円弧の旋回部１１の内方のみが、前記第１連通口１２と連通する構成となっている。１５は前記旋回通路１１ａの吸気下流側かつ前記旋回部の外方で、遠心分離部７底面に設けた第１開口部である。１６は旋回部１１より延設して遠心分離部７の壁面部１４の内壁に接するように形成したガイド部で、前記旋回通路１１ａの吸気下流側のみが前記第１開口部１５と連通する構成としている。
【００２７】
図５は、図２のＡ矢視図である。２０は前記第１開口部１５と連通しかつ下方に一体的に形成された細塵蓄積部である。また、１３は第１塵埃分離部６内に配され、前記第１塵埃分離部６内にて吸引風から分離された高密度塵埃の塵埃を蓄積する高密度塵埃蓄積部で、２４は同じく第１塵埃分離部６内に配され、前記第１塵埃分離部６内にて吸引風から分離された低密度塵埃の塵埃を蓄積する低密度塵埃蓄積部であり、区画壁２２によって区画されている。なお、前記高密度塵埃蓄積部１３は前記低密度塵埃蓄積部２４より、前記第１流入口９に対して遠方に配置してある。前記低密度塵埃蓄積部２４は、第２開口部２１を有し、前記第２開口部２１はフィルター２３にて覆われている。１９は電動送風機３の吸引口（図示せず）と、前記第２開口部２１を介して、前記低密度塵埃蓄積部２４とを連通される第２連通口である。つまり、前記第２開口部２１は、電動送風機３の吸引口（図示せず）と前記低密度塵埃蓄積部２４とを連通させる連通部の役割を果たしている。また、前記フィルター２３は、図６に示すように、平板状の枠２５に設けられており、前記前記第２開口部２１に対し、着脱自在となっていて、前記フィルター２３の掃除がし易くなっている。また、前記第２開口部２１の下端（低密度塵埃蓄積部２４の下端）から、所定高さの位置に、前記フィルター２３が配されている。
【００２８】
図７は、集塵部４の他の下方斜視図である。第１塵埃分離部６内に、高密度塵埃蓄積部１３と低密度塵埃蓄積部２４と細塵蓄積部２０とが、水平方向に並んで配設されている。なお、掃除機本体１８の後面を、被掃除面に向け立てた状態のときには、前記高密度塵埃蓄積部１３と前記低密度塵埃蓄積部２４は、略上下方向に重合して配設されてなる構成となっている（本実施例においては、高密度塵埃蓄積部１３が下方になるよう構成されている。）。
【００２９】
上記構成による動作作用を説明する。前記吸込具１より吸引した塵埃は、ホース５内を通った後、前記第１流入口９より前記第１塵埃分離部６に吸引される。第１流入口９より、第１塵埃分離部６に吸引された塵埃を含む吸引風は、遠心分離部７に設けた略円筒形状の壁面部１４に沿って旋回する。前記第１塵埃分離部６内においては、図５に示すように、低密度塵埃蓄積部２４に吸引力が作用しているので、体積の大きい塵埃が吸引力を受けやすいのと、重量の大きい塵埃が遠心力が大きいため、高密度塵埃は遠心力が大きく、低密度塵埃は遠心力が小さいこととなる。これにより、高密度塵埃は、第１流入口９に対して低密度塵埃蓄積部２４より遠方に配置してある高密度塵埃蓄積部１３に、区画壁２２の先端開放部を通過後蓄積され、低密度塵埃は前記第１流入口９近傍の低密度塵埃蓄積部２４に蓄積されることとなる。
【００３０】
また、低密度塵埃蓄積部２４の内部と電動送風機３の吸引口（図示せず）とを連通する第２開口部２１を設けているため、低密度塵埃蓄積部２４に蓄積された低密度塵埃は、吸引力により前記第２開口部側から蓄積されていく。特に低密度塵埃は、重量が小さく体積の大きい綿やティシュ等の通気性が良い塵埃が多いことに加え、第２開口部２１を覆うフィルター２３を、前記第２開口部２１の下端（低密度塵埃蓄積部２４の下端）から所定高さの位置に設けているため、フィルター２３の目詰まりを防止できることで集塵性能を向上できる。
【００３１】
さらに、フィルター２３の目詰まりを起し易い体積の小さい高密度塵埃は、区画壁２２にて囲まれ、吸引力の作用しない前記高密度塵埃蓄積部１３内に蓄積されており、フィルター２３には付着しないため、フィルター２３の目詰まりを防止できることで集塵性能を向上できる。
【００３２】
さらに、前記低密度塵埃蓄積部２４内の吸引作用により、低密度塵埃蓄積部２４内で蓄積されている低密度塵埃の舞い上がりを防止できるため、遠心分離部７の第２流入口１０のフィルターへの塵埃の付着を防止でき、集塵性能を向上できる。第１流入口９より、第１塵埃分離部６に吸引された塵埃を含む吸引風は、遠心分離部７の略円筒形状の壁面部１４に設けた略円弧状の第２流入口のフィルターに沿って旋回するため、前記フィルターをクリーニングすることで、集塵性能を向上できる。
【００３３】
質量および体積の大きい塵埃は、第１塵埃分離部６内に捕集されるが、質量および体積の小さい細塵は、前記第２流入口１０を経て遠心分離部７内方へ吸引される。この遠心分離部７内方へ吸引された塵埃を含む気流は、前記遠心分離部７の壁面部１４の内壁と略円弧状の旋回部１１とにより形成された旋回通路１１ａ内を旋回することで気流と塵埃は分離し、前記塵埃と分離した気流は、その後、前記旋回通路１１ａの吸気下流側の開放部より旋回部１１の内方に流入し、また、略円弧状の旋回部１１の内方のみが、電動送風機３の吸引口（図示せず）と連通する第１連通口１２と連通する構成となっているため、前記気流は前記第１連通口１２を介して掃除機本体１８外へと排出される。なお、前記旋回通路１１ａの通路断面積は、吸気下流側に向かうに従い徐々に小さくすれば、吸気下流側に向かうにしたがって、風速が上がり、塵埃と吸引風との分離性能が向上することで、集塵性能を向上することができる。
【００３４】
一方、前記気流と分離した塵埃は、第１開口部１５を介して細塵蓄積部２０に蓄積される。前記細塵蓄積部２０は、開閉蓋１７にて覆われていて閉塞された状態であるため、前記細塵蓄積部２０内に気流は生じず確実に内部に蓄積される。そのため、遠心分離部７にて遠心分離され細塵蓄積部２０に蓄積している塵埃を、再度遠心分離部７へ逆流するのを防止できる。また、第１塵埃分離部６内に、それぞれ下方開口の高密度塵埃蓄積部１３と低密度塵埃蓄積部２４と細塵蓄積部２０とが、水平方向に並んで配設されていているため、開閉蓋１７を開くと、高密度塵埃蓄積部１３と低密度塵埃蓄積部２４と細塵蓄積部２０のそれぞれに蓄積されている塵埃が同時に落下するため、前記第１塵埃分離部６に捕集されていた塵埃とともに、一度に廃棄できる。
【００３５】
また、掃除機本体１８の後面を、被掃除面に向け立てた状態のときには、前記高密度塵埃蓄積部１３と前記低密度塵埃蓄積部２４は、略上下方向に重合して配設された構成となっている。本実施例においては、高密度塵埃蓄積部１３が下方になり、区画壁２２の先端開放部が側方に向くように構成されているため、高密度塵埃蓄積部１３に溜まっている高密度塵埃が、また、低密度塵埃蓄積部２４に溜まっている低密度塵埃がそれぞれの蓄積部から出ることがなく、高密度塵埃が低密度塵埃蓄積部２４に移動することによる第２開口部２１を覆うフィルター２３の目詰まりを防止できることで集塵性能を向上できる。
【００３６】
なお、本実施例においては、第１塵埃分離部６内に、高密度塵埃の塵埃を蓄積する高密度塵埃蓄積部１３と、低密度塵埃の塵埃を蓄積する低密度塵埃蓄積部２４の２個の塵埃蓄積部を配設しているが、塵埃の特性（密度や重量または大きさ等）を利用して、３個以上の塵埃蓄積部を配設することも十分可能である。
【００３７】
【発明の効果】
本発明によれば、吸引力が急激に低下するのを防止することで集塵性能を向上させ、かつ小型化を実現した電気掃除機を提供できる。
【図面の簡単な説明】
【図１】本発明の第１の実施例における電気掃除機の全体図
【図２】同集塵部の略構成図
【図３】同集塵部の展開図
【図４】同第２塵埃分離部の上面図
【図５】図５のＡ矢視図
【図６】同集塵部の下方斜視図
【図７】同集塵部の他の下方斜視図
【図８】従来の電気掃除機の側断面図
【符号の説明】
６  第１塵埃分離部
７  第２塵埃分離部
９  流入口（第１塵埃分離部）
１０  流入口（第２塵埃分離部）
１３  高密度塵埃蓄積部
１４  低密度塵埃蓄積部
【図１】
2004229712.tif 000003
【図２】
2004229712.tif 000004
【図３】
2004229712.tif 000005
【図４】
2004229712.tif 000006
【図５】
2004229712.tif 000007
【図６】
2004229712.tif 000008
【図７】
2004229712.tif 000009
【図８】
2004229712.tif 000010